(57)【特許請求の範囲】
【請求項１】
走行ウェブをガイドするための装置において、
第１の可動な角度バーと第２の可動な角度バーとが設けられており、
第１の動作モードにおいては、前記第１の可動な角度バーが位置Ｐ１に、前記第２の可動な角度バーが位置Ｐ２に配置されており、これにより、走行ウェブを進入方向Ｄ１から退出方向Ｄ２にガイドしかつ、第１の印刷対裁断の見当設定を規定するようになっており、
第２の動作モードにおいては、前記第１の可動な角度バーが位置Ｐ３に、前記第２の可動な角度バーが位置Ｐ４に配置されており、これにより、走行ウェブを前記進入方向Ｄ１から退出方向Ｄ３にガイドするようになっており、該退出方向Ｄ３が前記退出方向Ｄ２に対してずらされており、前記第２の動作モードが、前記第１の印刷対裁断の見当設定を有しており、
第３の動作モードにおいては、前記第１の可動な角度バーが位置Ｐ５に、前記第２の可動な角度バーが位置Ｐ６に配置されており、これにより、走行ウェブを前記進入方向Ｄ１から前記退出方向Ｄ２にガイドするようになっており、前記第３の動作モードが、第２の印刷対裁断の見当設定を有していることを特徴とする、走行ウェブをガイドするための装置。
【請求項２】
前記第１の可動な角度バーを移動させるために動作する少なくとも１つの第１の可動な装置と、前記第２の可動な角度バーを移動させるために動作する少なくとも１つの第２の可動な装置とが設けられている、請求項１記載の装置。
【請求項３】
前記第１および第２の可動な角度バーのうちの少なくとも一方が旋回可能である、請求項１記載の装置。
【請求項４】
前記第１および第２の可動な装置のうちの少なくとも一方がスライド式キャリッジであり、前記第１および第２の可動な角度バーのうちの少なくとも一方が、前記それぞれの可動な装置に旋回可能に取り付けられている、請求項３記載の装置。
【請求項５】
前記第２の可動な角度バーがピストンによって支持されており、該ピストンが、前記スライド式キャリッジによってスライド可能に支持されている、請求項３記載の装置。
【請求項６】
前記第１および第２の可動な角度バーのうちの少なくとも一方が、両端部を使用して、前記それぞれの可動な装置のうちの一方に旋回可能に取り付けられている、請求項３記載の装置。
【請求項７】
前記走行ウェブの経路上で前記第１の可動な角度バーと第２の可動な角度バーとの間に配置された少なくとも１つの別のガイドエレメントが設けられており、該別のガイドエレメントが、ウェブを前記第１の可動な角度バーから前記第２の可動な角度バーにガイドし、これによりウェブを反転させるようになっている、請求項１記載の装置。
【請求項８】
前記別のガイドエレメントが、可動である、請求項７記載の装置。
【請求項９】
制御装置が設けられており、これにより、前記第２および第３の動作モードのうちの少なくとも一方の動作モードにおいて、前記第１および第２の可動な角度バーのうちの少なくとも一方の自動的な移動を制御するようになっている、請求項１記載の装置。
【請求項１０】
前記制御装置が、前記進入方向Ｄ１と退出方向Ｄ２と退出方向Ｄ３と第１の印刷対裁断の見当設定とに関連して、前記自動的な移動を算定するようになっている、請求項９記載の装置。
【請求項１１】
前記制御装置が、前記進入方向Ｄ１と退出方向Ｄ２と第１の印刷対裁断の見当設定と第２の印刷対裁断の見当設定とに関連して、前記自動的な移動を算定するようになっている、請求項９記載の装置。
【請求項１２】
前記制御装置が、前記第１の可動な角度バーの上流に配置された走行ウェブ経路の第１の基準点と、前記第２の可動な角度バーの下流に配置された走行ウェブ経路の第２の基準点との間の距離に関連して、前記自動的な移動を算定するようになっている、請求項９記載の装置。
【請求項１３】
前記可動な角度バーのうちの少なくとも一方のそれぞれの可動な装置を移動させるための少なくとも１つの駆動装置が設けられており、該少なくとも１つの駆動装置が、前記制御装置によって制御されるようになっている、請求項９記載の装置。
【請求項１４】
前記少なくとも１つの駆動装置が、電気モータである、請求項１３記載の装置。
【請求項１５】
前記少なくとも１つの駆動装置が、ステップモータである、請求項１３記載の装置。
【請求項１６】
前記第１および第２の可動な角度バーのうちの少なくとも一方が、空気負荷式角度バーである、請求項１記載の装置。
【請求項１７】
前記第１および第２の可動な角度バーのうちの少なくとも一方に、摩擦低減面が設けられている、請求項１記載の装置。
【請求項１８】
前記退出方向Ｄ２およびＤ３のうちの少なくとも一方が、前記進入方向に対して平行である、請求項１記載の装置。
【請求項１９】
第４の動作モードにおいて、前記第１の可動な角度バーが位置Ｐ７に、前記第２の可動な角度バーが位置Ｐ８に配置されており、これにより、走行ウェブを前記進入方向Ｄ１から退出方向Ｄ４にガイドするようになっており、該退出方向Ｄ４が前記退出方向Ｄ２に対してずらされており、前記第４の動作モードが、第３の印刷対裁断の見当設定を有している、請求項１記載の装置。
【請求項２０】
待機動作モードにおいて、前記第１の可動な角度バーが位置Ｐ９に、前記第２の可動な角度バーが位置Ｐ１０に配置されており、これにより、前記第１および第２の可動な角度バーを待機させるようになっている、請求項１記載の装置。
【請求項２１】
ウェブアップ動作モードにおいて、前記第１の可動な角度バーが位置Ｐ１１に、前記第２の可動な角度バーが位置１２に配置されており、これにより、ウェブを前記装置に通すようになっている、請求項１記載の装置。
【請求項２２】
第５の動作モードにおいて、前記第１の可動な角度バーが位置Ｐ１３に配置されており、これにより、前記走行ウェブの進入方向Ｄ１を提供するようになっている、請求項１記載の装置。
【請求項２３】
走行ウェブをガイドするための装置において、
第１の可動な角度バーと第２の可動な角度バーとが設けられており、
第１の動作モードにおいては、前記第１の可動な角度バーが位置Ｐ１に、前記第２の可動な角度バーが位置Ｐ２に配置されており、これにより、前記走行ウェブを進入方向Ｄ１から退出方向Ｄ２にガイドしかつ、第１の印刷対裁断の見当設定を規定するようになっており、
第４の動作モードにおいては、前記第１の可動な角度バーが位置Ｐ７に、前記第２の可動な角度バーが位置Ｐ８に配置されており、これにより、走行ウェブを前記進入方向Ｄ１から退出方向Ｄ４にガイドするようになっており、該退出方向Ｄ４が前記退出方向Ｄ２に対してずらされており、前記第４の動作モードが、第３の印刷対裁断の見当設定を有していることを特徴とする、走行ウェブをガイドするための装置。
【請求項２４】
待機動作モードにおいて、前記第１の可動な角度バーが位置Ｐ９に、前記第２の可動な角度バーが位置Ｐ１０に配置されており、これにより、前記第１および第２の可動な角度バーを待機させるようになっている、請求項２３記載の装置。
【請求項２５】
ウェブアップ動作モードにおいて、前記第１の可動な角度バーが位置Ｐ１１に、前記第２の可動な角度バーが位置Ｐ１２に配置されており、これにより、ウェブを前記装置に通すようになっている、請求項２３記載の装置。
【請求項２６】
第５の動作モードにおいて、前記第１の可動な角度バーが位置１３に配置されており、これにより、前記走行ウェブの進入方向Ｄ１を提供するようになっている、請求項２３記載の装置。
【請求項２７】
走行ウェブをガイドするための方法において、
第１の可動な角度バーを位置Ｐ１に、第２の可動な角度バーを位置Ｐ２に配置し、走行ウェブを進入方向Ｄ１から退出方向Ｄ２にガイドしかつ、第１の印刷対裁断の見当設定を規定し、
前記第１の可動な角度バーを位置Ｐ３に、前記第２の可動な角度バーを位置Ｐ４に移動させ、これにより、前記第１の印刷対裁断の見当設定を維持しかつ、走行ウェブを前記進入方向Ｄ１から退出方向Ｄ３にガイドし、該退出方向Ｄ３が前記退出方向Ｄ２に対してずらされており、
前記第１の可動な角度バーを位置Ｐ５に、前記第２の可動な角度バーを位置Ｐ６に移動させ、これにより、前記退出方向Ｄ２を維持しかつ、第２の印刷対裁断の見当設定に変更するステップを含む、走行ウェブをガイドするための方法。
【請求項２８】
走行ウェブをガイドするための方法において、
第１の可動な角度バーを位置Ｐ１に、第２の可動な角度バーを位置Ｐ２に配置し、前記走行ウェブを進入方向Ｄ１から退出方向Ｄ２にガイドしかつ、第１の印刷対裁断の見当設定を規定し、
前記第１の可動な角度バーを位置Ｐ７に、前記第２の可動な角度バーを位置Ｐ８に移動させ、これにより、第３の印刷対裁断の見当設定に変更しかつ、走行ウェブを前記進入方向Ｄ１から退出方向Ｄ４にガイドし、該退出方向Ｄ４が前記退出方向Ｄ２に対してずらされているステップを含む、走行ウェブをガイドするための方法。
【発明の詳細な説明】
【０００１】
【発明の属する技術分野】
本発明は、概して印刷機、特に、走行ウェブをガイドするための装置および方法に関する。
【０００２】
【従来の技術】
ウェブ印刷機、例えばオフセット平版印刷機において、１つまたは２つ以上の材料ウェブ、例えば紙ウェブは、種々異なる色を有するそれぞれの印刷ユニットの対によって印刷され、次いで、折り装置に給送されて、折り畳まれた折丁が形成される。通常、折り装置は、複数の角度バーまたはターンバーが配置された上部構造を有しておりかつ、紙ウェブを印刷ユニットから折り装置のフォーマにガイドする。角度バーを圧縮空気で負荷することができ、この圧縮空気は、角度バーの表面に配置された空気ノズルを通じて角度バーから吹き出す。また角度バーをクロム面で被覆することもできる。加圧空気と被覆面とが角度バーの表面の摩擦を減じ、これにより、印刷されたばかりの紙ウェブのマーキングを減じる。良好なアクセスのために、角度バーを折り装置の上部構造内で片側支持することができる。
【０００３】
角度バーは、ガイドされた走行ウェブまたは長手方向に裁断されたウェブのリボンをずらしかつ変向するために使用される。ウェブの送り出される部分を、２つの平行な角度バーを使用することによってウェブの到達部分に対して横方向にずらすことができる。つまり、ウェブを、例えば、印刷機の一方の側から他方の側にずらすことができる。ウェブの送り出される部分を、２つの平行な角度バーと付加的な変向ローラとを使用することによってウェブの到達部分に対して反転させることもでき、この付加的な変向ローラは、ウェブ経路方向において２つの角度バー間に配置される。
【０００４】
前述の角度バー装置は、印刷された紙ウェブが折り装置の共通のフォーマに給送される前に、これらのウェブを集めて重ね合わせるためにも使用される。
【０００５】
米国特許第５１０８０２２号明細書は、特に輪転式ウェブタイプ印刷機から排出される印刷されたウェブのためのユニバーサル・ウェブ変向装置を開示している。この変向装置は、第１および第２のターンバーと、ほぼ矩形のフレーム内に保持された第１および第２の変向ローラとを有しており、ターンバーの位置がフレームの側に沿って調節可能であり、変向ローラの位置がフレームの側に沿って長手方向に調節可能であり並びに、それぞれのターンバーと変向ローラとの間のウェブ走行平面に対して垂直に高さ調節可能である。この変向装置は、材料ウェブ、特に印刷されたウェブを変向するか、ずらすか、または変更してずらすことができる。
【０００６】
印刷対裁断の見当を調節するために、公知の装置には付加的な可動な見当合わせローラが設けられており、この見当合わせローラの移動によって、紙経路長が変化し、したがって印刷対裁断の見当も変化する。米国特許第５１０８０２２号明細書は、印刷対裁断の見当をどのように調節するかを開示していない。
【０００７】
米国特許第５１０８０２２号明細書の装置は、所要のガイド特性をこの変向装置に提供するために、少なくとも３つのガイドエレメントと、２つのターンバーと、少なくとも１つの付加的な変向ローラとが必要になるという不都合を有している。
【０００８】
【発明が解決しようとする課題】
したがって本発明の課題は、所要のガイド特性を得るための少数の可動なコンポーネントを有する、信頼性が高くかつ効率的な、走行ウェブをガイドするための装置を提供することである。
【０００９】
【課題を解決するための手段】
本発明は、第１の可動な角度バーと第２の可動な角度バーとが設けられており；第１の動作モードにおいては、第１の可動な角度バーが位置Ｐ１に、第２の可動な角度バーが位置Ｐ２に配置されており、これにより、走行ウェブを進入方向Ｄ１から退出方向Ｄ２にガイドしかつ、第１の印刷対裁断の見当設定を規定するようになっており；第２の動作モードにおいては、第１の可動な角度バーが位置Ｐ３に、第２の可動な角度バーが位置Ｐ４に配置されており、これにより、走行ウェブを進入方向Ｄ１から退出方向Ｄ３にガイドするようになっており、退出方向Ｄ３が退出方向Ｄ２に対してずらされており、この第２の動作モードが第１の印刷対裁断の見当設定を有しており；第３の動作モードにおいては、第１の可動な角度バーが位置Ｐ５に、第２の可動な角度バーが位置Ｐ６に配置されており、これにより、走行ウェブを進入方向Ｄ１から退出方向Ｄ２にガイドするようになっており、この第３の動作モードが第２の印刷対裁断の見当設定を有している、走行ウェブをガイドするための装置を提供する。
【００１０】
本出願における用語Ｐ１〜Ｐ１３およびＤ１〜Ｄ４は、本明細書中で、互いの位置および向きを区別するために使用されているだけであり、いかなる特定の意味も有さない。さらに、動作モードは動作条件と呼ばれてよい。
【００１１】
本発明により、走行ウェブのガイド、特に走行ウェブの退出方向をずらすことができ、また２つの可動な角度バーのみを使用して印刷対裁断の見当設定を調節することができる。本発明の利点は、可動なコンポーネント数が、別の見当合わせローラを必要とせずに２つの可動な角度バーのみに減じられ、これにより、コストおよび保守を低減することができるということである。
【００１２】
第１の動作モードから第２または第３の動作モードに変更若しくは第２の動作モードから第３のモードに変更すること、すなわち各角度バーを移動させるかまたは配置することが可能である。さらに、第２または第３の動作モードから第１の動作モードに戻すことが可能である。
【００１３】
本発明の別の実施例において、装置は、第１の可動な角度バーを移動させるために動作する少なくとも１つの第１の可動な装置と、第２の可動な角度バーを移動させるために動作する少なくとも１つの第２の可動な装置とを有している。
【００１４】
第１および第２の可動な角度バーのうちの少なくとも一方が旋回可能であると有利である。
【００１５】
本発明の有利な実施例において、第１および第２の可動な装置のうちの少なくとも一方はスライド式キャリッジでありかつ、第１および第２の可動な角度バーのうちの少なくとも一方はそれぞれの可動な装置に旋回可能に取り付けられている。スライド式キャリッジは直線移動を、有利には、走行ウェブの到達部分の方向に対してほぼ垂直方向に行い、また角度バーを各スライド式キャリッジに旋回可能に取り付けることによって旋回移動を行わせることもでき、この旋回移動を、スライド式キャリッジの直線移動に重ね合わせることもできる。
【００１６】
さらに第１および第２の可動な角度バーのうちの少なくとも一方を、スライド式キャリッジ、すなわち、例えばスライド式キャリッジの本体によりスライド可能に支持されたピストンによって支持することが可能であり、また特定の場合には有利でさえある。
【００１７】
第１および第２の可動な角度バーのうちの少なくとも一方を、両端部を使用して、それぞれの可動な装置のうちの一方に旋回可能に取り付けることもできる。
【００１８】
本発明の別の特徴によれば、装置は、さらに、走行ウェブの経路上で第１の角度バーと第２の角度バーとの間に配置された少なくとも１つの別のガイドエレメント、例えば第３のバーまたは第１の変向ローラを有しており、この別のガイドエレメントは、ウェブを第１の角度バーから第２の角度バーにガイドし、これによりウェブを反転させる。別のガイドエレメント、例えば第３のバーの軸は、ガイドされたウェブの到達部分の方向に対してほぼ平行に配置することができる。さらに、装置のこの別のガイドエレメントは可動であることができる。
【００１９】
本発明による装置は、走行ウェブ経路上で第１の角度バーと第２の角度バーとの間に配置された２つの別のガイドエレメント、例えば第３および第４のバーを有することもでき、これらの第３および第４のバーは互いに上下に配置されており、これにより、走行ウェブを下方角度バーユニットから上方角度バーユニットにガイドする。これにより、有利には、カラー印刷能力が制限された印刷機において、新聞紙のあらゆる部分に多色刷り頁を給送することができる。
【００２０】
角度バー、バーまたは変向ローラの全ての移動は、手動または自動で行うことができる。
【００２１】
本発明の別の特徴によれば、装置は、さらに制御装置を有しており、これにより、例えば、第２および第３の動作モードのうちの少なくとも一方の動作モードにおいて、第１および第２の可動な角度バーのうちの少なくとも一方の自動的な移動を制御する。この制御装置は、例えば、第１および第２の可動な角度バーのそれぞれを移動させるために動作する少なくとも１つの第１および第２の可動な装置を作動させるかまたは駆動することによって、これらの可動な角度バーを１つの位置から別の位置に自動変更または自動配置することができる。この有利な実施例は、例えば、ウェブの含水量により見当狂いが生じたために見当調節が必要である場合に、角度バーの遠隔設定を行うこともできる。
【００２２】
本発明の付加的な特徴によれば、制御装置は、進入方向Ｄ１と、退出方向Ｄ２と、退出方向Ｄ３と、第１の印刷対裁断の見当設定とに応じて、第１および第２の角度バーのうちの少なくとも一方の移動を算定する。この算定は第１の動作モードにおいて行うことができ、算定された位置変化は、第２の動作モードにおいて、第１および第２の角度バーをそれぞれの位置に移動させるために使用することができる。
【００２３】
本発明の別の特徴によれば、制御装置は、進入方向Ｄ１と、退出方向Ｄ２と、第１の印刷対裁断の見当設定と、第２の印刷対裁断の見当設定とに応じて、第１および第２の角度バーのうちの少なくとも一方の移動を算定する。第１の動作モードにおいて第１および第２の可動な角度バーの位置変化を算定しかつ、この算定された位置変化または算定された新たな位置を、これらの可動な角度バーを第３の動作モードまたは動作条件を規定するそれぞれの位置に配置することによって第３の動作モードを達成するために使用することは有利である。
【００２４】
本発明の別の典型的な実施例によれば、制御装置は、第１の角度バーの上流に配置された走行ウェブ経路の第１の基準点と、第２の角度バーの下流に配置された走行ウェブ経路の第２の基準点との間の距離に応じて、第１および第２の可動な角度バーのうちの少なくとも一方の移動を算定する。
【００２５】
第１の実施例においては、制御装置は、２つの基準点間の距離を変化させずに第１および第２の可動な角度バーのうちの少なくとも一方の移動を算定することができ、これにより第１の印刷対裁断の見当設定が維持されるのに対して、第２の実施例においては、制御装置は、第１の基準点と第２の基準点との間に所定の距離変化を伴って第１および第２の可動な角度バーのうちの少なくとも一方の移動を算定することができ、これにより、第２の印刷対裁断の見当設定に変更する。
【００２６】
本発明の別の実施例において、装置は、さらに、可動な角度バーのうちの少なくとも一方のそれぞれの可動な装置を移動させるための少なくとも１つの駆動装置、例えば電気モータまたはステップモータを有している。この少なくとも１つの駆動装置は、制御装置によって制御されてよい。
【００２７】
種々異なる位置、すなわち位置座標は、算定後に、記憶装置、例えばハードディスクに記憶することができ、また別個の角度バー、バーまたはローラの配置若しくは移動を制御するために、この記憶装置から制御装置に読み込まれることもできる。
【００２８】
さらに、本発明の有利な実施例において、第１および第２の可動な角度バーのうちの少なくとも一方は、例えば加圧空気で負荷される。第１および第２の可動な角度バーのうちの少なくとも一方には低摩擦面、例えばクロム被覆面を設けることもでき、この低摩擦面を研磨することもできる。
【００２９】
本発明の別の特徴によれば、走行ウェブまたは印刷されたウェブの長手方向に裁断されたリボンの送り出される部分の退出方向のうちの少なくとも１つは、走行ウェブまたは印刷されたウェブの長手方向に裁断されたリボンの到達部分の進入方向に対して平行である。付加的な変向バーまたは変向ローラを使用することによって、走行ウェブの退出方向をあらゆる所望の方向に変更することができ、また退出方向の向きを走行ウェブの進入方向の向きと反対にすることができる。
【００３０】
本発明の別の有利な実施例によれば、第４の動作モードまたは動作条件において、第１の可動な角度バーが位置Ｐ７に、第２の可動な角度バーが位置Ｐ８に配置されており、これにより、走行ウェブを進入方向Ｄ１から退出方向Ｄ４にガイドするようになっており、この退出方向Ｄ４が退出方向Ｄ２に対してずらされており、この第４の動作モードが、第３の印刷対裁断の見当設定を有している。
【００３１】
本発明の別の実施例によれば、走行ウェブをガイドするための装置は、第１の可動な角度バーと第２の可動な角度バーとを有しており、第１の動作モードにおいては、第１の可動な角度バーが位置Ｐ１に、第２の可動な角度バーが位置Ｐ２に配置されており、これにより、走行ウェブを進入方向Ｄ１から退出方向Ｄ２にガイドしかつ、第１の印刷対裁断の見当設定を規定するようになっており、第４の動作モードにおいては、第１の可動な角度バーが位置Ｐ７に、第２の可動な角度バーが位置Ｐ８に配置されており、これにより、走行ウェブを進入方向Ｄ１から退出方向Ｄ４にガイドするようになっており、この退出方向Ｄ４が退出方向Ｄ２に対してずらされており、第４の動作モードが、第３の印刷対裁断の見当設定を有している。
【００３２】
第４の動作モードを構成する本発明の実施例は、走行ウェブの退出方向と印刷対裁断の見当設定とを同時に変更することができる。第１の動作モードから第４の動作モードに変更するかまたは第４の動作モードから第１の動作モードに戻すことができる。上述の制御装置は、第４の動作モードにおける角度バーの自動的な移動を制御することもできる。
【００３３】
本発明の別の実施例によれば、待機動作モードにおいて、第１の可動な角度バーは位置Ｐ９に、第２の可動な角度バーは位置Ｐ１０に配置されており、これにより、例えばオペレータのアクセスのために、第１および第２の可動な角度バーを待機させる。待機位置は、有利には、より良好なアクセスのために角度バーを取り去る必要性を排除する。
【００３４】
本発明の別の実施例において、ウェブアップ動作モードにおいて、第１の可動な角度バーは位置Ｐ１１に、第２の可動な角度バーは位置Ｐ１２に配置されており、これにより、ウェブをこの装置に通す。
【００３５】
本発明による装置は、２つの可動な角度バーをウェブアップ位置に移動させ、ウェブを２つの角度バー間の開放空間を通過させて送り出すこともでき、また２つの角度バーをウェブの走行方向に対してある角度に配置することなしに、２つの角度バーをそれぞれのガイド位置に再配置することもできる。これにより、ウェブは、横方向にずらされることなく進入方向から退出方向にガイドされる。つまり、ウェブは、ウェブの進入部分に対してウェブの退出部分をずらすための角度バーを使用することなく角度バーユニットを真直ぐに通過し、これにより、完全自動化されたウェブアップ動作を可能にする。
【００３６】
本発明上の装置の１つの動作モードにおいて、待機動作モードとウェブアップ動作モードとを組み合わせることもできる。
【００３７】
本発明の別の実施例によれば、第５の動作モードにおいて、第１の可動な角度バーを位置Ｐ１３に配置することもでき、これにより、走行ウェブの進入方向Ｄ１を提供する。上述の制御装置によって制御することもできるこの移動により、例えば、印刷された紙ウェブの横方向のずれが、特に２つまたは３つ以上のウェブ幅の印刷機において行われた時に、第１の角度バーを正確に位置合わせすることができる。
【００３８】
本発明は、さらに、第１の可動な角度バーを位置Ｐ１に、第２の可動な角度バーを位置Ｐ２に配置し、走行ウェブを進入方向Ｄ１から退出方向Ｄ２にガイドしかつ、第１の印刷対裁断の見当設定を規定し；第１の可動な角度バーを位置Ｐ３に、第２の可動な角度バーを位置Ｐ４に移動させ、これにより、第１の印刷対裁断の見当設定を維持しかつ、走行ウェブを進入方向Ｄ１から退出方向Ｄ３にガイドし、この退出方向Ｄ３が退出方向Ｄ２に対してずらされており；第１の可動な角度バーを位置Ｐ５に、第２の可動な角度バーを位置Ｐ６に移動させ、これにより、退出方向Ｄ２を維持しかつ第２の印刷対裁断の見当設定に変更するステップを含む、走行ウェブをガイドするための方法を提供する。
【００３９】
本発明による方法は、単に第１および第２の可動な角度バーを移動させることによって、走行ウェブの退出方向の単純な変更または印刷対裁断の見当設定の単純な変更を行うことができる。
【００４０】
本発明は、さらに、第１の可動な角度バーを位置Ｐ１に、第２の可動な角度バーを位置Ｐ２に配置し、走行ウェブを進入方向Ｄ１から退出方向Ｄ２にガイドしかつ、第１の印刷対裁断の見当設定を規定し；第１の可動な角度バーを位置Ｐ７に、第２の可動な角度バーを位置Ｐ８に移動させ、これにより、第３の印刷対裁断の見当設定に変更しかつ走行ウェブを進入方向Ｄ１から退出方向Ｄ４にガイドし、この退出方向Ｄ４が退出方向Ｄ２に対してずらされているステップを含む、走行ウェブをガイドするための方法を提供する。
【００４１】
本発明によるこの方法は、走行ウェブの退出方向と印刷対裁断の見当設定との単純および同時変更を提供する。
【００４２】
【発明の実施の形態】
本発明の有利な実施例を、添付図面を参照しながら以下に説明する。
【００４３】
図１は、走行ウェブをガイドするための装置に給送される材料ウェブ１、例えば印刷された紙ウェブを示している。矢印２で示された進入方向Ｄ１から到達するウェブ１は、第１の可動な角度バー３に巻き掛けられ、第２の可動な角度バー４に向けられ、第２の可動な角度バー４を周って給送されて、矢印５で示された退出方向Ｄ２でこの装置を通過する。第１および第２の可動な角度バー３，４にはパイプライン、管またはホースであることができるライン６，７を介して加圧空気が供給されており、２つの角度バー３，４の各外面には、それぞれの複数の孔または空気ノズル８，９が設けられており、これらの複数の孔または空気ノズル８，９を通じて、加圧空気が可動な角度バー３，４から吹き出しかつ、ガイドされたウェブとの間に空気クッションを形成し、これにより、走行ウェブ１のガイド時の摩擦を減じる。付加的に、２つの角度バー３，４の外面には摩擦低減面、例えばクロム面で被覆することができ、この摩擦低減面を研磨することもできる。
【００４４】
加圧空気ライン６，７は、接続部１０，１１を介して可動な角度バー３，４に接続されている。
【００４５】
本発明によれば、２つの角度バー３，４は可動であり、これにより、印刷対裁断の見当設定と、図５，図６，図７，図１０ａおよび図１０ｂに示された有利な可動な装置の特定の実施例とに関して退出方向Ｄ２を変更する。
【００４６】
図２ａ〜図２ｇは２つの角度バー３，４の種々異なる配置の一連の進行を示しており、これらの一連の進行は、図２ａに矢印５で示された退出方向Ｄ２を図２ｇに矢印１２で示された退出方向Ｄ３に変更するために行われる。角度バー３，４の種々異なる配置は、１つの動作モードにおける位置から別の動作モードにおける位置に移動させられる時の角度バー３，４の移動を規定している。
【００４７】
図２ａにおいては、第１の角度バー３は位置Ｐ１に、第２の角度バー４は位置Ｐ２に示されているのに対して、図２ｇにおいては、第１の角度バー３は位置Ｐ３に、第２の角度バー４は位置Ｐ４に示されている。
【００４８】
さらに図２ａ〜図２ｇは、矢印２で示された進入方向Ｄ１が、変更させられずに、Ｂで示された中央位置に留まることを示している。Ａ，ＢおよびＣはウェブ１の３つの並列位置に対応しており、これらの並列位置は、印刷機の上流コンポーネント、例えば、走行ウェブ１をガイドするためのその他の装置、冷却スタンドユニット、乾燥装置、印刷ユニットの特性または下流コンポーネント、例えば折り機のフォーマによって規定される。
【００４９】
第１の可動な角度バーまたはインフィード角度バー３と第２の可動な角度バーまたはアウトフィード角度バー４との移動により、ウェブ１の退出方向が図２ａに示した位置Ｃから図２ｇに示した位置Ａへとずらされる。紙ウェブの方向における矢印５の長手方向位置で示されている見当設定は、図示した一連の移動において変化せず、これにより見当設定は維持される。
【００５０】
図２ａ〜図２ｇに示されているように、角度バー３が旋回移動を行うのに対して、角度バー４は旋回移動と曲線移動とを重ね合わせた移動を行う。直線移動であることもできる角度バー４の曲線移動が、位置Ｃから位置Ａにウェブを横方向にずらしかつウェブ経路長を安定させるのに対して、角度バー３，４の付加的な旋回移動は２つの角度バー３，４を平行に整合させる。
【００５１】
さらに図２ａ〜図２ｇに示されているように、走行ウェブをガイドするための装置の上流および下流における基準点として使用することができる矢印２の先端部と矢印５の先端部との間の距離は、一連の移動において変化せず、これにより見当設定は一定に維持される。
【００５２】
図３ａおよび図３ｂは、２つの角度バー３，４の別の一連の移動を示しており、これらの２つの角度バー３，４の移動は、ガイドされた走行ウェブの印刷対裁断の見当設定を変更するために行われる。両図面において、ウェブ１は位置Ｂに対応する矢印２で示された進入方向Ｄ１から装置に進入し、図３ａの矢印５ａおよび図３ｂの矢印５ｂで示された退出方向Ｄ２で装置を通過する。図３ａおよび図３ｂは、この場合における２つの角度バーまたは変向バー３，４の移動が、位置Ｃに対応する横方向の退出方向に影響を及ぼさないことを示している。
【００５３】
図３ａにおいては、第１の角度バー３は位置Ｐ１に、第２の角度バー４は位置Ｐ２に示されているのに対して、図３ｂにおいては、第１の角度バー３は位置Ｐ５に、第２の角度バー４は位置Ｐ６に示されている。
【００５４】
やはり印刷対裁断の見当設定を示す矢印５ａと矢印５ｂとからわかるように、矢印５ｂの先端部は、矢印５ａの先端部に対してウェブの長手方向に移動している。さらに２つの図面３ａおよび３ｂに示されているように、矢印２の先端部と矢印５ａまたは５ｂの各先端部との間のそれぞれの距離は異なっており、つまり、この装置を通過するウェブ経路までもが変更されており、この場合においては、例えば縮小させられている。
【００５５】
このために、印刷された頁１３と横裁ちナイフ１４との間の距離に変化が生じ、これにより、印刷対裁断の見当設定を変更することができる。
【００５６】
図３ａおよび図３ｂに示したように、角度バー３，４の移動は、旋回移動と曲線または直線移動とを重ね合わせた移動であることができる。ウェブ１の長手方向における曲線または直線移動は見当設定の変更を生ぜしめ、旋回移動は２つの角度バー３，４を適切に平行整合させる。２つの角度バーのうちの一方のみまたはこれらの両方を、曲線または直線方向に移動させることができる。
【００５７】
図４において、ウェブ１は進入位置Ａから退出位置Ｃにガイドされ、これらの位置Ａ，Ｃは、ウェブ１つ幅以上ずれている。図２ａ〜図２ｇおよび図３ａ，図３ｂを考慮すると、矢印５で示された退出方向Ｄ２の変更と、やはり矢印５で示された印刷対裁断の見当設定の変更とは、ウェブ１つ幅のずれに限定されず、少なくともウェブ２つ幅のずれと共に行うこともできる。
【００５８】
図５は、２つの角度バー３，４と、第１の可動な装置１５と、第２の可動な装置１６との典型的な実施例を示している。
【００５９】
第１の可動な装置１５は支持体２９を有しており、この支持体２９に、第１の角度バー３が両端部を使用して接続されており、次いで、この支持体２９は第１のスライド式キャリッジ３０に旋回可能に取り付けられており、これにより、両矢印３２および３３で示された直線移動および旋回移動を提供する。スライド式キャリッジ３０はレールエレメント３１に可動に取り付けられている。
【００６０】
第２の可動な装置１６は第２のスライド式キャリッジ１７を有しており、この第２のスライド式キャリッジ１７は、第２のレールエレメント１８に可動に取り付けられており、これにより、両矢印１９で示された方向における第２の角度バー４の直線移動を可能にする。可動な角度バー４の２つの端部２０および２１は可動なピストン２２および２３に接続されており、これらの可動なピストン２２および２３は、スライド式キャリッジ１７にスライド可能に取り付けられており、これにより、両矢印２４および２５で示された角度バー４の曲線または直線移動と旋回移動とを可能にする。可動な角度バー４の端部２０には細長い孔２６が設けられており、これにより、ピストン２２および２３の直線移動によって生ぜしめられる２つの接続箇所２７，２８間の距離の変化を補償する。細長い孔２６とは異なるその他の補償手段、例えばテレスコープ式アームを使用することもできる。
【００６１】
図５は、支持体２９とスライド式キャリッジ３０との間の接続旋回箇所を示していないが、両矢印３３が第１の角度バー３の可能な旋回移動を示している。
【００６２】
レールエレメント３１に取り付けられたスライド式キャリッジ３０の直線移動３２とレールエレメント１８に取り付けられたスライド式キャリッジ１７の直線移動１９とを、ウェブ１の進入および退出部分の横方向位置の低数値補正のために使用することもできる。
【００６３】
スライド式キャリッジ１７，３０と、旋回可能な支持体２９と、ピストン２２，２３とは、角度バー３，４を移動させるために動作する可動な装置を規定している。スライド式キャリッジ１７，３０は、可動な角度バーのうちの少なくとも１つのそれぞれの可動な装置を移動させるために、駆動装置１１８，１３１によってそれぞれ駆動することができる。駆動装置１１８，１３１はレールエレメント１８，３１にそれぞれ作用接続することができ、例えば、レールエレメント１８，３１はねじ山付きロッドであることができ、駆動装置１１８，１３１は、このねじ山付きロッドを回転させるためのモータであることができる。この場合、スライド式キャリッジ１７，３０にねじ穴を設けることができ、これらのねじ穴は、ねじ山付きロッドに嵌合して、ねじ山付きロッドが回転させられるとスライド式キャリッジ１７，３０を移動させる。同様の駆動装置を、ピストン２２，２３を駆動するために使用することができる。
【００６４】
可動な装置、例えばスライド式キャリッジ１７，３０の移動は制御装置２００によって制御することができ、この制御装置２００は、可動な装置（図５に図示せず）または、例えば駆動装置１１８，１３１に作用接続することができる。移動のための制御信号は、信号またはデータライン２１８，２３１を介して制御装置２００から各駆動装置１１８，１３１に提供することができる。
【００６５】
図６は、ウェブ１の退出部分がウェブ１の進入部分に対して反転させられなければならない場合であっても、本発明による走行ウェブをガイドするための装置を使用することもできることを示している。この場合、付加的な第３のバーまたは変向バー３４が、走行ウェブ１の経路上で第１の角度バー３と第２の角度バー４との間に配置される。この場合における２つのピストン２２および２３は、可動な角度バー４を約９０°旋回させるために使用することができ、これにより、この可動な角度バー４は、もはや第１の可動な角度バー３に対して平行ではなく、図示したように第１の可動な角度バー３に対してほぼ垂直に向けられる。
【００６６】
図６に示した角度バーユニットは、第３のバー３４の上方または下方に配置された第４のバーを有することもでき、この角度バーユニットにより、第３および第４のバーを使用することによって、走行ウェブを、第１の水平面上の角度バー３から角度バー３の水平面の上方または下方に配置することができる第２の水平面上の角度バー４に送ることができる。この装置は、ベイウインド装置とも呼ばれている。
【００６７】
図７は、第１の可動な角度バー３と第２の可動な角度バー４とを有する走行ウェブをガイドするための装置の別の有利な実施例を示している。２つの角度バー３，４は各端部２０，２１，３５，３６を使用してそれぞれの可動な装置３７，３８，３９，４０に取り付けられており、これらの可動な装置３７，３８，３９，４０は、各レールエレメント４１，４２，４３，４４、例えばねじ山付きロッドに可動に取り付けられている。ねじ山付きロッド４１，４２，４３，４４は各駆動装置１４１，１４２，１４３，１４４によって回転させることができ、これらの各駆動装置１４１，１４２，１４３，１４４は制御装置３００によって制御することができる。制御信号を提供するための典型的な信号またはデータライン２４３は、駆動装置１４３のみに対して示されている。
【００６８】
図８は、この特定の実施例を見当変更のためにどう使用することができるかを示している。２つの可動な装置３９および４０は、例えばねじ山付きロッド４３および４４を所定の方向に回転させることによって移動させられ、これにより、２つの角度バー間の距離は増大しかつウェブ経路長も増大する。この動作により、印刷対裁断の見当が変更または調節させられる。
【００６９】
角度バー４を移動させる代わりに、見当設定の所望の変更を行うために、角度バー４を所定の位置に維持しかつ角度バー３を移動させることもできる。さらに、両角度バー３，４を互いに反対方向に移動させかつ、見当変更のために必要な直線移動を両角度バー３，４に配分することもできる。
【００７０】
一方の角度バーの僅かな向きの変化に対する他方のバーの整合を調節するために、この直線移動に旋回移動を重ね合わせることが必要であってよい。
【００７１】
図９は、別の動作モードにおける図７および図８と同様の装置を示している。２つの可動な装置４０および３８が所定の位置に維持されているのに対して、２つの可動な装置３９および３７は同方向に移動させられており、これにより、ウェブ１の退出部分の横方向のずれが達成されている。２つの角度バー３，４は常に互いに平行である。印刷対裁断の見当設定を維持するために、それぞれの可動な装置３９，４０または３７，３８を同時に移動させることによる２つの角度バー３，４のうちの１つまたはこれらの両方の重ね合わされた直線移動が必要とされてよい。
【００７２】
図１０ａおよび図１０ｂは、ウェブアップ動作モードにおける走行ウェブをガイドするための装置を示している。図１０ａにおいて、角度バー３，４は、これらの周囲に紙ウェブが巻き掛けられていない状態で頂面図で示されており、また矢印４９および５０は、ガイド位置から角度バー上部構造５１，５２のサイドフレームまたは梁付近のウェブアップ位置への角度バー３，４の移動を示している。図１０ｂの側面図に示されているように、角度バー３，４は、矢印４９，５０で示したように平面上を移動させられるだけでなく、矢印５３，５４で示したように上方および下方へも移動させられ、これにより、それぞれのウェブアップ位置に到達する。図１０ａおよび図１０ｂの点線矢印５５は、２つの可動な角度バー３，４がそれぞれのウェブアップ位置に配置されるウェブアップ動作モードにおける紙ウェブの走行方向を示している。ウェブアップ動作モードにおける角度バー３，４を、図２ｄに示した位置と同様のそれぞれの待機位置に移動させることもできる。
【００７３】
待機させられた角度バー３，４は、さらに印刷者または機械工のための容易なアクセスを可能にする。
【００７４】
２つの可動な角度バー３，４のそれぞれの端部は、１つまたは２つ以上のニューマチック式シリンダをそれぞれ使用することによって、走行ウェブをガイドするためのそれぞれの位置に移動させることもできる。可動な角度バーの各端部にそれぞれの支持体を設けることもでき、これにより、角度バーがニューマチック式シリンダの作動によって移動させられる時に、可動な角度バーの各端部が所定の平面上を移動させられると有利であるが、この平面は、必ずしも水平面であるとは限らない。
【００７５】
本明細書中に使用したような、第１の、第２の、第３の、第４の、第５の等の用語は、様々な位置およびバーを互いに区別するために使用されているだけである。つまり、例えば請求項に使用されているように、“第４の位置”という用語は、他の３つの位置の存在を必要としているのではなく、単に、この第４の位置が、特定の請求項に記載されたあらゆるその他の位置とは異なることを必要としている。
【図面の簡単な説明】
【図１】本発明による、第１の動作モードにおける走行ウェブをガイドするための装置を示す頂面図である。
【図２ａ】本発明による、第２の動作モードにおける第１および第２の可動な角度バーの種々異なる配置の概略的な順序を示す図である。
【図２ｂ】本発明による、第２の動作モードにおける第１および第２の可動な角度バーの種々異なる配置の概略的な順序を示す図である。
【図２ｃ】本発明による、第２の動作モードにおける第１および第２の可動な角度バーの種々異なる配置の概略的な順序を示す図である。
【図２ｄ】本発明による、第２の動作モードにおける第１および第２の可動な角度バーの種々異なる配置の概略的な順序を示す図である。
【図２ｅ】本発明による、第２の動作モードにおける第１および第２の可動な角度バーの種々異なる配置の概略的な順序を示す図である。
【図２ｆ】本発明による、第２の動作モードにおける第１および第２の可動な角度バーの種々異なる配置の概略的な順序を示す図である。
【図２ｇ】本発明による、第２の動作モードにおける第１および第２の可動な角度バーの種々異なる配置の概略的な順序を示す図である。
【図３ａ】本発明による、第３の動作モードにおける可動な角度バーの種々異なる配置の概略的な順序を示す図である。
【図３ｂ】本発明による第３の動作モードにおける可動な角度バーの種々異なる配置の概略的な順序を示す図である。
【図４】本発明による走行ウェブの横方向のずれを示す概略図である。
【図５】本発明による走行ウェブをガイドするための装置の実施例を示す頂面図である。
【図６】本発明による付加的な第３のバーを使用した図５と同様の実施例を示す頂面図である。
【図７】本発明による、第１の動作モードにおける走行ウェブをガイドするための装置の別の実施例を示す図である。
【図８】本発明による、第３の動作モードにおける図７と同様の実施例の角度バーの配置を示す図である。
【図９】本発明による、第２の動作モードにおける図７と同様の実施例の角度バーの配置を示す図である。
【図１０ａ】本発明による、待機動作モードにおける第１および第２の可動な角度バーの種々異なる配置を示す概略図である。
【図１０ｂ】本発明による、待機動作モードにおける第１および第２の可動な角度バーの種々異なる配置を示す概略図である。
【符号の説明】
１  ウェブ、  ２  矢印、  ３，４  角度バー、  ５  矢印、  ６，７  ライン、  ８，９  空気ノズル、  １０，１１  接続部、  １２  矢印、  １３  頁、  １４  横裁ちナイフ、  １５，１６  装置、  １７  スライド式キャリッジ、  １８  レールエレメント、  １９  両矢印、  ２０，２１  端部、  ２２，２３  ピストン、  ２４，２５  両矢印、  ２６  孔、  ２７，２８  接続箇所、  ２９  支持体、  ３０  スライド式キャリッジ、  ３１  レールエレメント、  ３２，３３  両矢印、  ３４  バー、  ３５，３６  端部、  ３７，３８，３９，４０  装置、  ４１，４２，４３，４４  レールエレメント、  ４９，５０  矢印、  ５１，５２  上部構造、  ５３，５４  矢印、  １１８，１３１，１４１，１４２，１４３，１４４  駆動装置、  ２００  制御装置、  ２１８，２３１，２４３  データライン
【図１】
0003822845.tif 000002
【図２ａ】
0003822845.tif 000003
【図２ｂ】
0003822845.tif 000004
【図２ｃ】
0003822845.tif 000005
【図２ｄ】
0003822845.tif 000006
【図２ｅ】
0003822845.tif 000007
【図２ｆ】
0003822845.tif 000008
【図２ｇ】
0003822845.tif 000009
【図３ａ】
0003822845.tif 000010
【図３ｂ】
0003822845.tif 000011
【図４】
0003822845.tif 000012
【図５】
0003822845.tif 000013
【図６】
0003822845.tif 000014
【図７】
0003822845.tif 000015
【図８】
0003822845.tif 000016
【図９】
0003822845.tif 000017
【図１０ａ】
0003822845.tif 000018
【図１０ｂ】
0003822845.tif 000019